(57)【要約】【課題】  燃料タンクの配置を工夫することで、船体自体の安定性を改善し、航行の安定性を確保するために必要なバラスト水の積載量を減少させることができる貨物船を提供すること。【解決手段】  二重底２５を構成する船体外板２３の上方のホールドボトムプレート２４上に燃料を積載する複数の燃料タンク２６を同一平面上に配置する一方、二重底２５内および舷側２７の船体外板２３と内方のインナーロンジバルクヘッド２８と間にバラストタンク３０を設ける。  これにより、燃料タンク２６を直接海水に接することのない２重殻内に配置できるとともに、二重底２５の上部に同一平面上となるように燃料タンク２６を配置することで、２重底２５のスパンＳを狭くして２重底２５の高さＨを低くでき、これによって船体自体および積載貨物の重心を下げることができ、航行安定性を改善できるようにしている。【選択図】  図２
2005219559.tif 000002
【特許請求の範囲】
【請求項１】
二重底を構成する船体外板の上方のホールドボトムプレート上に燃料を積載する複数の燃料タンクを同一平面上に配置する一方、前記二重底内および舷側の船体外板と内方のインナーロンジバルクヘッドと間にバラストタンクを設けて構成したことを特徴とする貨物船。
【発明の詳細な説明】
【技術分野】
【０００１】
この発明は貨物船に関し、燃料タンクの配置を工夫することで、船体自体の安定性を改善し、航行の安定性を確保するために必要なバラスト水の積載量を減少させることができる貨物船、特にコンテナ船に適用して好適なものに関するものである。
【背景技術】
【０００２】
貨物船では、航行に必要な主機の燃料を積載する燃料タンクのほか、航行の安定を確保するためバラスト水を積載するバラストタンクを備えており、バラスト水の積載量を調整することで、貨物の積載量の変化や燃料の消費量の変化が生じても安定して航行できるようにしている。
【０００３】
貨物船の中でも、コンテナを貨物とするコンテナ船では、ホールド内にコンテナを積載するのに加え、甲板のホールド開口部を開閉するハッチカバーの上部にも複数段にコンテナを積載することが行われ、船型によっては、常時バラスト水を積載して航行の安定性を確保するものも多い。
【０００４】
このような貨物船（コンテナ船）における燃料タンクやバラストタンクの配置は、例えば特許文献1に開示されているものを図３に示すように、船体１の船底２は、船体外板３とホールドボトムプレート４とからなる二重底５とされ、この二重底５の内部は図示しない複数のフロア−および複数のガーダーによって区画され、これら区画されたそれぞれの領域には、船体１の喫水の調整や横傾斜を調整するために海水を積載する複数のバラストタンク６とディーゼル等の主機を駆動するための燃料を積載する複数の燃料タンク７とがそれぞれ設けられている。
【０００５】
また、舷側８は、船体外板３とインナーロンジバルクヘッド９とで二重殻構造とされてその空間がサイドタンク１０あるいはアッパーデッキ通路１５とされ、これらのサイドタンク１０は、主に船体１の喫水の調整や横傾斜を調整するために海水を収容するバラストタンク６として使用されるほか、サイドタンク１０の一部を区画して燃料タンク７として使用するものもある。
【０００６】
このように構成された従来の貨物船では、万一衝突や座礁等を起こして二重底５やサイドタンク１０の船体外板３に破損や亀裂が生じた場合、燃料タンク７中の燃料が海に漏洩して海洋汚染を引き起こしたり、燃料タンク７中の燃料に海水が浸入し、動力源の故障等を引き起こす危険性もある。
【０００７】
そこで、二重底やサイドタンクの船体外板に破損や亀裂が生じた場合でもディーゼル等の主機関を駆動するための燃料が海に漏洩したり、燃料タンク中の燃料に海水が浸入することによる動力源の故障等を防ぐことができる燃料タンクの配置として、図３（ｃ）に示すように、船体１の内部の複数のホールド１１を区画する隔壁１２を、それぞれ一対の鉄板１３で構成して空間を形成し、これら1対の隔壁１２の空間内部に複数のホリゾンタルガーダー１４を設けて区画し、これらの区画された領域をそれぞれディーゼル等の主機関を駆動するための燃料を積載する複数の燃料タンク７として利用するようにしている。
【０００８】
そして、船体１の船底２の二重底５の内部は、図示しない複数のフロア−および複数のガーダーにより補強されるとともに区画されて船体１の喫水や横傾斜を調整するために海水を収容する複数のバラストタンク６として使用されるとともに、舷側８の空間は、サイドタンク１０あるいはアッパーデッキ通路１５とされ、サイドタンク１０は船体１の喫水の調整や横傾斜を調整するために海水を収容するバラストタンク６として使用するようにしている。
【特許文献１】特開２００２‐３１６６８８号公報
【発明の開示】
【発明が解決しようとする課題】
【０００９】
ところが、ホールド１１を区画する隔壁１２の内部に空間を設けて燃料タンク７とする場合には、船体外板３が損傷しても燃料が漏れ出したり、燃料に海水が混入することを防止できるとともに、燃料の積載量による船体１の安定性への影響を小さくできるものの、燃料自体をバラストとして利用する効果が小さく、船型によっては、常時バラスト水をバラストタンク６に積載する必要が生じるという問題がある。
【００１０】
また、ホールド１１の底部全体を二重底５とすることから、二重底５自体の強度を保つため二重底５自体の高さＨ0が大きくなるという問題がある。
【００１１】
この発明はかかる従来技術の問題点に鑑みてなされたもので、燃料タンクの配置を工夫することで、船体自体の安定性を改善し、航行の安定性を確保するために必要なバラスト水の積載量を減少させることができる貨物船を提供しようとするものである。
【課題を解決するための手段】
【００１２】
上記課題を解決するため、この発明の請求項1記載の貨物船は、二重底を構成する船体外板の上方のホールドボトムプレート上に燃料を積載する複数の燃料タンクを同一平面上に配置する一方、前記二重底内および舷側の船体外板と内方のインナーロンジバルクヘッドと間にバラストタンクを設けて構成したことを特徴とするものである。
【００１３】
この貨物船によれば、二重底を構成する船体外板の上方のホールドボトムプレート上に燃料を積載する複数の燃料タンクを同一平面上に配置する一方、前記二重底内および舷側の船体外板と内方のインナーロンジバルクヘッドと間にバラストタンクを設けるようにしたので、燃料タンクを直接海水に接することのない２重殻内に配置できるとともに、二重底の上部に同一平面上となるように配置することで、２重底のスパンを狭くして２重底の高さを低くでき、これによって船体自体および積載貨物の重心を下げることができ、航行安定性を改善できるようにしている。
【発明の効果】
【００１４】
この発明の請求項1記載の貨物船によれば、二重底を構成する船体外板の上方のホールドボトムプレート上に燃料を積載する複数の燃料タンクを同一平面上に配置する一方、前記二重底内および舷側の船体外板と内方のインナーロンジバルクヘッドと間にバラストタンクを設けるようにしたので、燃料タンクを直接海水に接することのない２重殻内に配置することができるとともに、燃料をバラストとして利用することができ、バラスト水の積載量を最小限とすることができる。
【００１５】
また、二重底の上部に同一平面上となるように燃料タンクを配置することで、２重底のスパンを狭くして２重底の高さを低くすることができ、これによって船体自体および積載貨物の重心を下げて航行安定性を改善することができる。
【発明を実施するための最良の形態】
【００１６】
以下、この発明の一実施の形態について図面を参照しながら詳細に説明する。  
図１および図２は、この発明の貨物船をコンテナ船に適用した一実施の形態にかかり、図１(ａ)は平面配置図、(ｂ)は部分斜視図、図２は部分横断面図である。
【００１７】
この発明のコンテナ船（貨物船）２０では、船体２１の船底２２は、船体外板２３とホールドボトムプレート２４とからなる二重底２５としてある。
【００１８】
そして、この貨物船２０では、二重底２５の上部であるホールドボトムプレート２４上に複数の燃料タンク２６が配置してあり、舷側２７の船体外板２３の内側のインナーロンジバルクヘッド２８に接する位置から船体２１の中央側に所望の幅および高さで形成され、しかも二重底２５のホールドボトムプレート２４上の同一平面状に配置して形成してある。
【００１９】
したがって、これらの燃料タンク２６は、二重底２５を構成するホールドボトムプレート２４の平面形状が船首側で狭くなることから、例えば図１(ａ)中に黒く塗りつぶして示すように、機関室２９から船首側のインナーロンジバルクヘッド２８に接するように両側に沿って設けられる。
【００２０】
そして、このように二重底２５上に配置される複数の燃料タンク２６は、最も幅が広くとられる部分で、例えばコンテナ４つ分の幅とされ、高さがコンテナ１つ分とされる。
【００２１】
なお、このような複数の燃料タンク２６の配置は、二重底２５上で、ホールドボトムプレート２４上の同一平面上に配置できる範囲であれば、その幅や高さなどは積載すべき燃料の量に応じて適宜設定すれば良く、幅は全幅であっても良い。
【００２２】
このように二重底２５上で、ホールドボトムプレート２４上の同一平面上に燃料タンク２６を配置することで、二重底２５上のホールドの両側あるいは全幅に燃料タンク２６が位置することになり、これによって二重底２５の上面を構成するホールドボトムプレート２４のスパンＳが狭くなり、その分だけ、従来のスパンＳ0の場合に比べ、補強部材を省くことが可能となり、二重底２５の高さＨを低くすることができる。
【００２３】
このように二重底２５の高さＨを従来のＨ0に比べて低くすることで、船体２１自体および貨物として積載されるコンテナの重心位置を下げることができ、コンテナ船２０自体の安定性を向上することができる。
【００２４】
また、このコンテナ船２０では、二重底２５上に燃料タンク２６を同一平面上となるように配置したので、船体２１の喫水の調整や横傾斜を調整するためのバラストとして有効に機能させることができる。
【００２５】
なお、このコンテナ船２０でも、これまでと同様に、二重底２５の内部は図示しない複数のフロア−および複数のガーダーによって区画され、これら区画されたそれぞれの領域には、船体２１の喫水の調整や横傾斜を調整するために海水を積載する複数のバラストタンク３０や配管スペースとして利用される。
【００２６】
さらに、舷側２７の船体外板２３と内側のインナーロンジバルクヘッド２８とによって形成される二重殻構造の空間は、サイドタンク３１あるいはアッパーデッキ通路３２とされ、これらのサイドタンク３１は、主に船体２１の喫水の調整や横傾斜を調整するために海水を収容するバラストタンク３０として使用される。
【００２７】
以上、実施の形態とともに、説明したように、この発明の貨物船２０によれば、二重底２５を構成する船体外板２３の上方のホールドボトムプレート２４上に燃料を積載する複数の燃料タンク２６を同一平面上に配置する一方、二重底２５内および舷側２７の船体外板２３と内方のインナーロンジバルクヘッド２８と間にバラストタンク３０を設けるようにしたので、燃料タンク２６を直接海水に接することのない２重殻内に配置することができる。
【００２８】
さらに、二重底２５の上部に同一平面上となるように燃料タンク２６を配置することで、２重底２５のスパンＳを狭くして２重底２５の高さＨを低くすることができ、これによって船体２１自体および積載貨物の重心を下げて航行安定性を改善することができる。
【図面の簡単な説明】
【００２９】
【図１】この発明の貨物船をコンテナ船に適用した一実施の形態にかかり、(ａ)は平面配置図、(ｂ)は部分斜視図である。
【図２】この発明の貨物船をコンテナ船に適用した一実施の形態にかかる部分横断面図である。
【図３】従来の貨物船の燃料タンクの配置の説明するもので、(ａ)は平面配置図、(ｂ)は一例の概略斜視図、(ｃ)は他の一例の概略斜視図である。
【符号の説明】
【００３０】
２０      コンテナ船(貨物船)
２１      船体
２２      船底
２３      船体外板
２４      ホールドボトムプレート
２５      二重底
２６      燃料タンク
２７      舷側
２８      インナーロンジバルクヘッド
２９      機関室
３０      バラストタンク
３１      サイドタンク
３２      アッパーデッキ通路
Ｈ        二重底の高さ
Ｓ        二重底のスパン
【図１】
2005219559.tif 000003
【図２】
2005219559.tif 000004
【図３】
2005219559.tif 000005